【手続補正書】
【提出日】平成18年5月23日(2006.5.23)
【手続補正１】
【補正対象書類名】明細書
【補正対象項目名】特許請求の範囲
【補正方法】変更
【補正の内容】
【特許請求の範囲】
【請求項１】
ユーザの操作を介してコンテンツ再生に関する指示を取得する操作部と、
当該装置により再生できるメディアの種類を示した複数のメディアアイコンのデータと、当該装置により再生されるべきコンテンツと、そのコンテンツの項目を示した複数のコンテンツアイコンのデータと、を保持する格納部と、
前記コンテンツの再生に関するメニュー画面の画像データを表示装置へ出力する表示出力部と、
前記操作部が取得した前記ユーザの指示に基づき、前記複数のメディアアイコンと前記複数のコンテンツアイコンとを二次元配列した形で前記メニユー画面の画像データを生成する表示制御部と、
を有し、
前記表示制御部は、前記複数のメディアアイコンを画面上における第１の方向に配列し、前記複数のコンテンツアイコンを画面上における前記第１の方向と交わる第２の方向に配列し、前記第１の方向の配列と前記第２の方向の配列との交点近傍に位置するメディアアイコンおよびコンテンツアイコンを他のメディアアイコンおよび他のコンテンツアイコンと外観上区別できるよう強調した形で前記メニユー画面の画像データを生成する
ことを特徴とするマルチメディア再生装置。
【請求項２】 
前記操作部は、前記第１の方向の配列または前記第２の方向の配列をスクロールさせる指示とコンテンツ再生の指示とを取得し、
前記表示制御部は、前記第１の方向の配列と前記第２の方向の配列との交点を所定位置に据え置いたまま前記複数のメディアアイコンまたは前記複数のコンテンツアイコンがスクロール表示されるよう前記スクロールさせる指示に合わせて前記メニュー画面の画像データを生成するとともに、前記コンテンツ再生の指示があったとき前記交点近傍に位置するコンテンツアイコンが示すコンテンツを再生開始させる
ことを特徴とする請求項１に記載のマルチメディア再生装置。
【請求項３】 
前記表示制御部は、前記第１の方向の配列と前記第２の方向の配列との交点近傍に位置するメディアアイコンまたはコンテンツアイコンが画面上の略中央に位置する形で前記メニュー画面の画像データを生成する
ことを特とする請求項１または請求項２に記載のマルチメディア再生装置。
【請求項４】
前記操作部は、画面上において前記第１の方向の配列と前記２の方向の配列との交点を表示すべき位置に関する指示を前記ユーザによる操作を介して取得し、
前記表示制御部は、前記指示に基づく画面上の位置に前記交点が位置する形で記メニュー画面の画像データを生成する
ことを特徴とする請求項１〜請求項３のいずれかに記載のマルチメディア再生装置。
【請求項５】
前記格納部は、前記コンテンツが動画データまたは静止画データである場合に、そのコンテンツの項目を示した前記コンテンツアイコンとして前記動画データに含まれるフレーム画像または前記静止画データを縮小したサムネイルのデータを保持する
ことを特徴とする請求項１〜請求項４のいずれかに記載マルチメディア再生装置。
【請求項６】
前記操作部は、上下および左右の方向を指示可能なボタンを含み、
前記表示制御部は、前記ユーザにより上下のいずれかと左右のいずれかの２方向が同時に指示されたときに、前記第１の方向のスクロール表示と前記第２の方向のスクロール表示のいずれかを優先して前記メニュー画面の画像データを生成する
ことを特徴とする請求項２〜請求項５のいずれかに記載のマルチメディア再生装。
【請求項７】
前記表示出力部は、前記コンテンツおよび前記メニュー画面の画像データを、前記表示装置として外部接続されたテレビジヨン受像機へ出力する
ことを特徴とする請求項１〜請求項６のいずれかに記載のマルチメディア再生装置。
【請求項８】
コンテンツ再生に関して再生できるメディアの種類を示した複数のメディアアイコンと再生できるコンテンツの項目を示した複数のコンテンアイコンとを二次元配列して生成されるメニュー画面の呼び出し指示を取得すステップと、
前記呼び出し指示に基づき、前記複数のメディアアイコンを画面上における第１の方向に配列し、前記複数のコンテンツアイコンを画面上における前記第１の方向と交わる第２の方向に配列し、前記第１の方向の配列と前記第２の方向の配列との交点近傍に位置するメディアアイコンおよびコンテンツアイコンを他のメディアアイコンおよび他のコンテンヅアイコンと外観上区別できるよう強調した形で前記メニュー画面の画像データを生成するステップと、
前記メニュー画面の画像データを表示装置へ出力するステップと、
を含むことを特徴とするマルチメディア再生方法。
【請求項９】
前記取得するステップは、前記第１の方向の配列または前記第２の方向の配列をスクロールさせる指示とコンテンツ再生の指示とをユーザの操作を介して取得し、
前記生成するステップは、前記第１の方向の配列と前記第２の方向の配列との交点を所定位置に据え置いたまま前記複数のメディアアイコンまたは前記複数のコンテンツアイコンがスクロール表示されるよう前記スクロールさせる指示に合わせて前記メニュー画面の画像データを生成するとともに、前記コンテンツ再生の指示があったとき前記交点近傍に位置するコンテンツアイコンが示すコンテンツを再生開始させる
ことを特徴とする請求項８に記載のマルチメディア再生方法。
【請求項１０】
前記生成するステップは、前記第１の方向の配列と前記第２の方向の配列との交点近傍に位置するメディアアイコンまたはコンテンツアイコンが画面上の略中央に位置する形で前記メニュー画面の画像データを生成する
ことを特徴とする請求項８または請求項９に記載のマルチメディア再生方法。
【請求項１１】
前記取得するステップは、画面上において前記第１の方向の配列と前記第２の方向の配列との交点を表示すべき位置に関する指示をユーザによる操作を介して取得し、
前記生成するステップは、前記指示に基づく画面上の位置に前記交点が位置する形で前記メニュー画面の画像データを生成する
ことを特徴とする請求項８〜請求項１０のいずれかに記載のマルチメディア再生方法。
【請求項１２】
前記生成するステップは、前記コンテンツが動画データまたは静止画データである場台に、前記動画データに含まれるフレーム画像または前記静止画データを縮小したサムネイルのデータを前記コンテンツアイコンとして配列する形で前記メニュー画面の画像データを生成する
ことを特徴とする請求項８〜請求項１１のいずれかに記載のマルチメディア再生方法。
【請求項１３】
前記取得するステップは、上下および左右の方向の指示を取得し、
前記生成するステップは、前記ユーザにより上下のいずれかと左右のいずれかの２方向が同時に指示されたときに、前記第１の方向のスクロール表示と前記第２の方向のスクロール表示のいずれかを優先して前記メニュー画面の画像データを生成する
ことを特徴とする請求項９〜請求項１２のいずれかに記載のマルチメディア再生方法。
【請求項１４】
ユーザの操作を介してコンテンツ再生に関する指示を取得する機能と、
再生できるメディアの種類を示した複数のメディアアイコンのデータと、再生できるコンテンツと、そのコンテンツの項目を示した複数のコンテンツアイコンデータと、を保持する機能と、
前記コンテンツの再生に関するメニユー画面の画像データを表示装置へ出力する機能と、
前記ユーザの指示に基づき、前記複数のメディアアイコンを画面上における第１の方向に配列し、前記複数のコンテンツアイコンを画面上における前記第１の向と交わる第２の方向に配列することにより前記複数のメディアアイコンと前複数のコンテンツアイコンとを二次元配列し、前記第１の方向の配列と前記第２の方向の配列との交点近傍に位置するメディアアイコンおよびコンテンツアイコンを他のメディアアイコンおよび他のコンテンツアイコンと外観上区別できるよう強調した形で前記メニュー画面の画像データを生成する機能と、
をコンピュータに発揮させることを特徴とするコンピュータプログラム。
【請求項１５】
前記取得する機能は、前記第１の方向の配列または前記第２の方向の配列をスクロールさせる指示とコンテンツ再生の指示とを取得し、
前記生成する機能は、前記第１の方向の配列と前記第２の方向の配列との交点を所定位置に据え置いたまま前記複数のメディアアイコンまたは前記複数のコンテンツアイコンかスクロール表示されるよう前記スクロールさせる指示に合わせて前記メニュー画面の画像データを生成するとともに、前記コンテンツ再生の指示があったとき前記交点近傍に位置するコンテンツアイコンが示すコンテンツを再生開始させる
ことを特徴とする請求項１４に記載のコンピュータプログラム。
【請求項１６】
前記生成する機能は、前記第１の方向の配列と前記第２の向の配列との交点近傍に位置するメディアアイコンまたはコンテンツアイコンが画面上の略中央に位置する形で前記メニュー画面の画像データを生成する
こと特徴とする請求項１４または請求項１５に記載のコンピュータプログラム。
【請求項１７】
前記取得する機能は、画面上において前記第１の方向の配列と前記第２の方向の配列との交点を表示すべき位置に関する指示を前記ユーザよる操作を介して取得し、
前記生成する機能は、前記指示に基づく画面上の位置に前記交点が位置する形で前記メニユー画面の画像データを生成する
ことを特徴とする請求項１４〜請求項１６のいずれかに記載のコンピュータプログラム。
【請求項１８】
前記保持する機能は、前記コンテンツが動画データまたは静止画データである場合に、そのコンテンツの項目を示した前記コンテンツアイコンとして前記動画データに含まれるフレーム画像または前記静止画データを縮小したサムネイルのデータを保持する
ことを特徴とする請求項１４〜請求項１７のいずれかに記載のコンピュータプログラム。
【請求項１９】
前記取得する機能は、上下および左右の方向の指示を取得し、
前記生成する機能は、前記ユーザにより上下のいずれかと左右のいずれかの２方向が同時に指示されたときに、前記第１の方向のスクロール表示と前記第２の方向のスクロール表示のいずれかを優先して前記メニュー画面の画像データを生成する
ことを特徴とする請求項１５〜請求項１８のいずれかに記載のコンピュータプログラム。
【請求項２０】
前記出力する機能は、前記コンテンツおよび前記メニユー画面の画像データを、前記表示装置として外部接続されたテレビジヨン受像機へ出力する
ことを特徴とする請求項１４〜請求項１９のいずれかに記載のコンピュー夕プログラム。
【請求項２１】
コンピュータにて読取可能な記録媒体であって、
ユーザの操作を介してコンテンツ再生に関する指示を取得する機能と、
再生できるメディアの種類を示した複数のメディアアイコンのデータと、再生できるコンテンツと、そのコンテンツの項目を示した複数のコンテンツアイコンのデータと、を保持する機能と、
前記コンテンツの再生に関するメニュー画面の画像データを表示装置へ出力する機能と、
前記ユーザの指示に基づき、前記複数のメディアアイコンを画面上における第１の方向に配列し、前記複数のコンテンツアイコンを画面上における前記第１の方向と交わる第２の方向に配列することにより前記複数のメディアアイコンと前記複数のコンテンツアイコンとを二次元配列し、前記第１の方向の配列と前記第２の方向の配列との交点近傍に位置するメディアアイコンおよびコンテンツアイコンを他のメディアアイコンおよび他のコンテンツアイコンと外観上区別できるよう強調した形で前記メニュー画面の画像データを生成する機能と、
をコンピュータに発揮させることを特徴とするコンピュータプログラムを格納した記録媒体。
【請求項２２】
前記取得する機能は、前記第１の方向の配列または前記第２の方向の配列をスクロールさせる指示とコンテンツ再生の指示とを取得し、
前記生成する機能は、前記第１の方向の配列と前記第２の方向の配列との交点を所定位置に据え置いたまま前記複数のメディアアイコンまたは前記複数のコンテンツアイコンがスクロール表示されるよう前記スクロールさせる指示に合わせて前記メニュー画面の画像データを生成するとともに、前記コンテンツ再生の指示があったとき前記交点近傍に位置するコンテンツアイコンが示すコンテンツを再生開始させる
ことを特徴とする請求項２１に記載のコンピュータプログラムを格納した記録媒体。
【請求項２３】
前記生成する機能は、前記第１の方向の配列と前記第２の方固の配列との交点近傍に位置するメディアアイコンまたはコンテンツアイコンが画面上の略中央に位置する形で前記メニュー画面の画像データを生成する
ことを特徴とする請求項２１または請求項２２に記載のコンピュータプログラムを格納した記録媒体。
【請求項２４】
前記取得する機能は、画面上において前記第１の方向の配列と前記第２の方向の配列との交点を表示すべき位置に関する指示を前記ユーザによる操作を介して取得し、
前記生成する機能は、前記指示に基づく画面上の位置に前記交点が位置する形で前記メニユー画面の画像データを生成する
ことを特徴とする請求項２１〜請求項２３のいずれかに記載のコンピュータプログラムを格納した記録媒体。
【請求項２５】
前記保持する機能は、前記コンテンツが動画データまたは静止画データである場合に、そのコンテンツの項目を示した前記コンテンツアイコンとして前記動画データに含まれるフレーム画像または前記静止画データを縮小したサムネイルのデータを保持する
ことを特徴とする請求項２１〜請求項２４のいずれかに記載のコンピュータプログラムを格納した記録媒体。
【請求項２６】
前記取得する機能は、上下および左右の方向の指示を取得し、
前記生成する機能は、前記ユーザにより上下のいずれかと左右のいずれかの２方向が同時に指示されたときに、前記第１の方向のスクロール表示と前記第２の方向のスクロール表示のいずれかを優先して前記メニュー画面の画像データを生成する
ことを特徴とする請求項２２〜請求項２５のいずれかに記載のコンピュータプログラムを格納した記録媒体。
【請求項２７】
前記出力する機能は、前記コンテンツおよび前記メニュー画面の画像データを、前記表示装置として外部接続されたテレビジヨン受像機へ出力する
ことを特徴とする請求項２１〜請求項２６のいずれかに記載のコンピュー夕プログラムを格納した記録媒体。
【請求項２８】
複数のメディアを表す複数のメディアアイコンのデータと、前記メディアに属するコンテンツと、前記コンテンツを所定の単位毎に表したコンテンツアイコンのデータとを保持する格納部と、
第１の方向に配列した複数の前記メディアアイコンの中で所定位置に位置する前記メディアアイコンに属する複数の前記コンテンツアイコンを第２の方向に配列して表示する画像データを生成し、前記所定位置に位置する前記メディアアイコンに隣接する前記コンテンツアイコンを強調表示する画像データを生成する表示制御部と、
再生指示に応じて、強調表示されている前記コンテンツアイコンに対応するコンテンツの再生を行なう再生制御部と、
を有し、
前記表示制御部は、操作指示に応じて、前記第1の方向の配列に沿って複数の前記メディアアイコンの表示を移動させ、前記第2の方向の配列に沿って複数の前記コンテンツアイコンの表示を移動させることを特徴とするマルチメディア再生装置。
【請求項２９】
前記表示制御部は、所定位置に位置する前記メディアアイコンを強調表示する画像データを生成することを特徴とする請求項２８に記載のマルチメディア再生装置。
【請求項３０】
複数のメディアを表す複数のメディアアイコンのデータと、前記メディアに属するコンテンツと、前記コンテンツを所定の単位毎に表したコンテンツアイコンのデータとから、第１の方向に配列した複数の前記メディアアイコンの中で所定位置に位置する前記メディアアイコンに属する複数の前記コンテンツアイコンを第２の方向に配列して表示する画像データを生成する第１のステップと、
前記所定位置に位置する前記メディアアイコンに隣接する前記コンテンツアイコンを強調表示する画像データを生成する第２のステップと、
再生指示に応じて、強調表示されている前記コンテンツアイコンに対応するコンテンツの再生を行なう第３のステップと、
を有し、
前記第１のステップは、操作指示に応じて、前記第1の方向の配列に沿って複数の前記メディアアイコンの表示を移動させ、前記第２の方向の配列に沿って複数の前記コンテンツアイコンの表示を移動させることを特徴とするマルチメディア再生方法。
【請求項３１】
複数のメディアを表す複数のメディアアイコンのデータと、前記メディアに属するコンテンツと、前記コンテンツを所定の単位毎に表したコンテンツアイコンのデータとから、第１の方向に配列した複数の前記メディアアイコンの中で所定位置に位置する前記メディアアイコンに属する複数の前記コンテンツアイコンを第２の方向に配列して表示する画像データを生成する機能と、
前記所定位置に位置する前記メディアアイコンに隣接する前記コンテンツアイコンを強調表示する画像データを生成する機能と、
操作指示に応じて、前記第1の方向の配列に沿って複数の前記メディアアイコンの表示を移動させ、前記第２の方向の配列に沿って複数の前記コンテンツアイコンの表示を移動させる機能と、
再生指示に応じて、強調表示されている前記コンテンツアイコンに対応するコンテンツの再生を行なう機能と
をコンピュータに実行させることを特徴とするコンピュータプログラム。